(57)【要約】【課題】子供のいたずらにより誤って加熱手段が加熱作動状態に切り換えられることを的確に阻止すること。【解決手段】加熱作動状態と加熱作動停止状態とに切り換えられる加熱手段１ａと、加熱開始用操作部１４，１６によって加熱手段１ａが加熱作動状態に切り換えられることを阻止するロック状態と加熱開始用操作部によって加熱手段１ａが加熱作動状態に切り換えられることを許容するロック解除状態とに切換自在なロック手段とが設けられ、ロック手段をロック状態とロック解除状態とに切り換えるロック用操作部が、加熱開始用操作部１４，１６の配設箇所とは別の箇所に、外部から見えにくいまたは機器本体内に隠れている難視認状態で設けられている。【選択図】        図２
2004218981.tif 000002
【特許請求の範囲】
【請求項１】
加熱作動状態と加熱作動停止状態とに切り換えられる加熱手段と、
加熱開始用操作部によって前記加熱手段が加熱作動状態に切り換えられることを阻止するロック状態と前記加熱開始用操作部によって前記加熱手段が加熱作動状態に切り換えられることを許容するロック解除状態とに切換自在なロック手段とが設けられている加熱調理器であって、
前記ロック手段をロック状態とロック解除状態とに切り換えるロック用操作部が、前記加熱開始用操作部の配設箇所とは別の箇所に、外部から見えにくいまたは機器本体内に隠れている難視認状態で設けられている加熱調理器。
【請求項２】
前記ロック用操作部が、ケーシングに形成された開口の内側箇所に設けられ、前記開口を通して、前記ロック用操作部がロック状態とロック解除状態とに切換操作可能に構成されている請求項１に記載の加熱調理器。
【請求項３】
前記開口がスリット状に形成され、前記加熱手段の加熱量を調整するための加熱量調節レバーが、前記スリット状の開口を貫通する状態で、かつ、前記スリット状の開口の長手方向に沿う移動により加熱量最大用位置と加熱量最小位置とに操作される状態で設けられている請求項２に記載の加熱調理器。
【請求項４】
前記加熱開始用操作部を加熱開始用位置まで押し込むことにより、前記加熱手段の加熱作動を開始させるように構成され、
前記加熱開始用操作部を加熱開始用位置まで押し込み移動させることに連動して、前記加熱量調節レバーを前記加熱量最大用位置と前記加熱量最小用位置との間の加熱量中用位置に移動させる加熱量調節レバー操作手段が設けられ、
前記ロック手段は、前記ロック状態において、前記加熱量中用位置を外れた位置に位置する前記加熱量調節レバーの前記加熱量中用位置への移動を阻止することにより、前記加熱開始用操作部を加熱開始用位置まで押し込むことを牽制阻止するように構成され、かつ、前記ロック解除状態において、前記加熱量中用位置を外れた位置に位置する前記加熱量調節レバーの前記加熱量中用位置への移動を許容することにより、前記加熱開始用操作部を加熱開始用位置まで押し込むことを許容するように構成されている請求項３に記載の加熱調理器。
【請求項５】
前記ロック用操作部が、前記機器本体の電源用の電池を前記機器本体内に収納する電池収納部に、その電池収納部を開閉する蓋体を閉じた状態においてその蓋体の内方側に位置させるように設けられている請求項１に記載の加熱調理器。
【請求項６】
加熱作動状態と加熱作動停止状態とに切り換えられる加熱手段と、
加熱開始用操作部によって前記加熱手段が加熱作動状態に切り換えられることを阻止するロック状態と前記加熱開始用操作部によって前記加熱手段が加熱作動状態に切り換えられることを許容するロック解除状態とに切換自在なロック手段とが設けられている加熱調理器であって、
機器本体において、可動することが予測できない可動予測不可能部材が、ロック用位置とロック解除用位置とに可動自在に構成され、
前記ロック手段は、前記可動予測不可能部材をロック用位置に移動操作すると、前記ロック状態に切り換えられ、かつ、前記可動予測不可能部材をロック解除用位置に移動操作すると、前記ロック解除状態に切り換えられるように構成されている加熱調理器。
【請求項７】
前記機器本体は、装着用開口から挿入されて装着空間に装着されるビルトイン式に構成され、
前記可動予測不可能部材は、前記装着空間に前記機器本体を装着させた状態において、前記装着空間における前記機器本体との隙間を埋める隙間埋め部材にて構成されている請求項６に記載の加熱調理器。
【発明の詳細な説明】
【０００１】
【発明の属する技術分野】
本発明は、加熱作動状態と加熱作動停止状態とに切り換えられる加熱手段と、
加熱開始用操作部によって前記加熱手段が加熱作動状態に切り換えられることを阻止するロック状態と前記加熱開始用操作部によって前記加熱手段が加熱作動状態に切り換えられることを許容するロック解除状態とに切換自在なロック手段とが設けられている加熱調理器に関する。
【０００２】
【従来の技術】
上記のような加熱調理器は、ロック手段をロック解除状態に切り換えて、加熱開始用操作部によって加熱手段を加熱作動停止状態から加熱作動状態に切り換え、所望の加熱調理を行い、ロック手段をロック状態に切り換えることにより、加熱開始用操作部によって加熱手段が加熱作動停止状態から加熱作動状態に切り換えられることを阻止して、子供のいたずらなどにより誤って加熱手段が加熱作動状態に切り換えられることを阻止するものである。
【０００３】
ちなみに、上記のような加熱調理器において、加熱手段を加熱作動状態と加熱作動停止状態に切り換える構成としては、機械式のものと電気式のものとの２種類があるので、機械式のものと電気式のものとの夫々について説明を加える。
機械式のものでは、加熱開始用操作部を押圧操作して、加熱開始用操作部を加熱開始用位置まで押し込み移動させることにより、加熱手段を加熱作動状態に切り換えるように構成されている。
そして、機械式のものでは、ロック手段が、ロック状態において、加熱開始用操作部が加熱開始用位置まで押し込み移動されることを阻止するように構成され、かつ、ロック解除状態において、加熱開始用操作部が加熱開始用位置まで押し込み移動されることを許容するように構成されている。
【０００４】
また、電気式のものでは、加熱開始用操作部を押圧操作して、加熱開始用操作部にて加熱開始を指令するようにして、加熱手段の作動状態を制御する制御部が、加熱開始用操作部にて加熱開始が指令されると、加熱手段を加熱作動状態に切り換えるように構成されている。
そして、電気式のものでは、ロック手段が、ロック状態において、加熱開始用操作部にて加熱開始が指令されても、制御部がその加熱開始の指令を受け付けないように構成され、かつ、ロック解除状態において、加熱開始用操作部にて加熱開始が指令されると、制御部がその加熱開始の指令を受け付けるように構成されている。
【０００５】
上記のような加熱調理器において、従来では、加熱開始用操作部が機器本体のケーシングの前面部に設けられ、ロック手段をロック状態とロック解除状態とに切り換えるロック用操作部が、機器本体のケーシングの前面部で加熱開始用操作部の配設箇所の下側に設けられ、ロック用操作部が、外部から見えやすい箇所に設けられている（例えば、特許文献１参照。）。
【０００６】
【特許文献１】
特開平８−３２０１２０号公報
【０００７】
【発明が解決しようとする課題】
上記従来の加熱調理器では、ロック用操作部が、外部から見えやすい箇所に設けられているので、子供にとって、ロック用操作部が存在していることが分かりやすく、ロック用操作部をどのように操作するかも覚えやすいものとなっていた。
したがって、子供にとって、ロック用操作部を操作することは容易であるので、ロック用操作部を操作してロック手段をロック状態に切り換えても、子供がロック用操作部を操作してロック手段がロック解除状態に切り換えられることになり、未だ子供のいたずらにより誤って加熱手段が加熱作動状態に切り換えられる虞があった。
【０００８】
ちなみに、従来の加熱調理器では、加熱手段を加熱作動状態と加熱作動停止状態に切り換える構成としては、機械式のものと電気式のものとの２種類があるが、いずれにおいても、ロック用操作部が、機器本体のケーシングの前面部で加熱開始用操作部の配設箇所の下側に設けられ、ロック用操作部が、外部から見えやすい箇所に設けられていたので、機械式のものと電気式のものとの両方において、上述のような不都合があった。
【０００９】
本発明は、かかる点に着目してなされたものであり、その目的は、子供のいたずらにより誤って加熱手段が加熱作動状態に切り換えられることを的確に阻止することができる加熱調理器を提供する点にある。
【００１０】
【課題を解決するための手段】
この目的を達成するために、請求項１に記載の発明によれば、加熱作動状態と加熱作動停止状態とに切り換えられる加熱手段と、
加熱開始用操作部によって前記加熱手段が加熱作動状態に切り換えられることを阻止するロック状態と前記加熱開始用操作部によって前記加熱手段が加熱作動状態に切り換えられることを許容するロック解除状態とに切換自在なロック手段とが設けられている加熱調理器において、
前記ロック手段をロック状態とロック解除状態とに切り換えるロック用操作部が、前記加熱開始用操作部の配設箇所とは別の箇所に、外部から見えにくいまたは機器本体内に隠れている難視認状態で設けられている。
【００１１】
すなわち、ロック用操作部が、加熱開始用操作部の配設箇所とは別の箇所に、外部から見えにくいまたは機器本体内に隠れている難視認状態で設けられているので、子供にとって、ロック用操作部の存在自体が分かりにくく、ロック用操作部をどのように操作するかを覚えにくいものとなっている。
したがって、子供にとって、ロック用操作部を操作することは難しく、子供のいたずらによりロック用操作部を操作してロック手段がロック解除状態に切り換えられることを阻止することができることになる。
以上のことから、ロック用操作部を操作してロック手段をロック状態に切り換えておくことによって、子供のいたずらにより誤って加熱手段が加熱作動状態に切り換えられることを的確に阻止することができることとなって、子供のいたずらにより誤って加熱手段が加熱作動状態に切り換えられることを的確に阻止することができる加熱調理器を提供できるに至った。
【００１２】
請求項２に記載の発明によれば、前記ロック用操作部が、ケーシングに形成された開口の内側箇所に設けられ、前記開口を通して、前記ロック用操作部がロック状態とロック解除状態とに切換操作可能に構成されている。
【００１３】
すなわち、ロック用操作部が、ケーシングに形成された開口の内側箇所に設けられているので、外部から開口を通してロック用操作部が見えるだけとなり、子供にとって、ロック用操作部の存在が分かりにくいものとなる。
しかも、ロック用操作部をロック状態とロック解除状態とに切換操作するときには、ケーシングに形成された開口に手指や手指よりも小径状の棒状体を挿入して、ロック用操作部をロック状態とロック解除状態とに切換操作することになるので、ロック用操作部の操作自体が行いにくいものとなる。
そして、ケーシングに形成される開口の大きさを小さくするほど、外部からロック用操作部が見えにくく、しかも、ロック用操作部の操作自体が行いにくいものとなるので、ケーシングに形成される開口の大きさをより小さくすることにより、外部からロック用操作部がより一層見えにくく、しかも、ロック用操作部の操作自体がより一層行いにくいものとすることができることになる。
【００１４】
したがって、外部からロック用操作部が見えにくく、しかも、ロック用操作部の操作自体が行いにくいので、子供のいたずらにより誤って加熱手段が加熱作動状態に切り換えられることをより一層的確に阻止することができることになる。
【００１５】
請求項３に記載の発明によれば、前記開口がスリット状に形成され、前記加熱手段の加熱量を調整するための加熱量調節レバーが、前記スリット状の開口を貫通する状態で、かつ、前記スリット状の開口の長手方向に沿う移動により加熱量最大用位置と加熱量最小位置とに操作される状態で設けられている。
【００１６】
すなわち、加熱手段の加熱量を調整するための加熱量調節レバーを設けるために、ケーシングにスリット状の開口が形成され、その開口の内側箇所に、ロック用操作部を設け、そのスリット状の開口を通して、ロック用操作部がロック状態とロック解除状態とに切換操作可能であるので、加熱量調節レバーを設けるために形成されるスリット状の開口を利用しながら、ロック用操作部を、外部から見えにくく、しかも、操作自体が行いにくくなるように設けることができることになる。
したがって、既設のスリット状の開口を利用しながら、子供のいたずらによりロック用操作部を操作してロック手段がロック解除状態に切り換えられることを阻止することができることになるので、子供のいたずらにより誤って加熱手段が加熱作動状態に切り換えられることを阻止することができながら、構成の簡素化を図ることができることになる。
【００１７】
請求項４に記載の発明によれば、前記加熱開始用操作部を加熱開始用位置まで押し込むことにより、前記加熱手段の加熱作動を開始させるように構成され、
前記加熱開始用操作部を加熱開始用位置まで押し込み移動させることに連動して、前記加熱量調節レバーを前記加熱量最大用位置と前記加熱量最小用位置との間の加熱量中用位置に移動させる加熱量調節レバー操作手段が設けられ、
前記ロック手段は、前記ロック状態において、前記加熱量中用位置を外れた位置に位置する前記加熱量調節レバーの前記加熱量中用位置への移動を阻止することにより、前記加熱開始用操作部を加熱開始用位置まで押し込むことを牽制阻止するように構成され、かつ、前記ロック解除状態において、前記加熱量中用位置を外れた位置に位置する前記加熱量調節レバーの前記加熱量中用位置への移動を許容することにより、前記加熱開始用操作部を加熱開始用位置まで押し込むことを許容するように構成されている。
【００１８】
すなわち、加熱量調節レバー操作手段が、加熱開始用操作部を加熱開始用位置まで押し込み移動させることに連動して、加熱量中用位置を外れた位置に位置する加熱量調節レバーを加熱量中用位置に移動させるので、加熱手段の加熱量を中にした状態で、加熱手段の加熱作動を開始させることができることになる。
そして、例えば、加熱手段がバーナであるときには、加熱手段の加熱作動を開始させるときの加熱手段の加熱量が大きいと、必要以上に勢い良く着火することになって、使用者に不快感を与える虞があり、逆に、加熱手段の加熱作動を開始させるときの加熱手段の加熱量が小さいと、確実な点火を行うことができない虞がある。
したがって、加熱手段の加熱量を中にした状態で、加熱手段の加熱作動を開始させることによって、使用者に不快感を与えることもなく、しかも、確実な点火を行うことができない事態に陥ることも回避することができることになる。
【００１９】
しかも、ロック手段は、加熱量中用位置を外れた位置に位置する加熱量調節レバーの加熱量中用位置への移動を加熱量調節レバー操作手段にて阻止したり、許容することにより、加熱開始用操作部を加熱開始用位置まで押し込むことを牽制阻止したり、許容するように構成されているので、ロック手段としては、ロック用操作部の操作に連動して、スリット状の開口での加熱量調節レバーの加熱量中用位置への移動を阻止または許容する構成を備えるだけでよいものとなる。
そして、請求項３に記載の如く、加熱量調節レバーを設けるために形成されるスリット状の開口の内側箇所に、ロック用操作部を設けられているので、ロック用操作部の配設箇所と加熱量調節レバーの配設箇所とが近くに存在することになる。
したがって、ロック手段としては、近くに配設されたロック用操作部の操作と加熱量調節レバーの移動とを連動させるように構成するだけでよく、ロック手段の構成の簡素化を図ることができることになる。
【００２０】
以上のことから、使用者に不快感を与えることもなく、しかも、確実な点火を行うことができない事態に陥ることも回避することができながらも、ロック手段の構成を簡素な構成とすることができることになる。
【００２１】
請求項５に記載の発明によれば、前記ロック用操作部が、前記機器本体の電源用の電池を前記機器本体内に収納する電池収納部に、その電池収納部を開閉する蓋体を閉じた状態においてその蓋体の内方側に位置させるように設けられている。
【００２２】
すなわち、ロック用操作部が、電池収納部を開閉する蓋体を閉じた状態においてその蓋体の内方側に位置させるように設けられているので、蓋体を閉じることにより、ロック用操作部が機器本体内に隠れた状態となる。
したがって、ロック用操作部が機器本体内に隠れているので、子供にとって、ロック用操作部が存在していること自体分かりにくいものとなって、子供のいたずらにより誤って加熱手段が加熱作動状態に切り換えられることをより一層的確に阻止することができることになる。
【００２３】
請求項６に記載の発明によれば、加熱作動状態と加熱作動停止状態とに切り換えられる加熱手段と、加熱開始用操作部によって前記加熱手段が加熱作動状態に切り換えられることを阻止するロック状態と前記加熱開始用操作部によって前記加熱手段が加熱作動状態に切り換えられることを許容するロック解除状態とに切換自在なロック手段とが設けられている加熱調理器において、
機器本体において、可動することが予測できない可動予測不可能部材が、ロック用位置とロック解除用位置とに可動自在に構成され、
前記ロック手段は、前記可動予測不可能部材をロック用位置に移動操作すると、前記ロック状態に切り換えられ、かつ、前記可動予測不可能部材をロック解除用位置に移動操作すると、前記ロック解除状態に切り換えられるように構成されている。
【００２４】
すなわち、ロック手段は、可動することが予測できない可動予測不可能部材を可動させることにより、ロック状態とロック解除状態に切り換えられるように構成されているので、子供にとって、可動予測不可能部材を可動させることは思い付きにくく、ロック手段をロック状態とロック解除状態に切り換えることは難しいものとなる。
したがって、子供のいたずらによりロック手段がロック解除状態に切り換えられることを阻止することができることになるので、ロック手段をロック状態に切り換えておくことによって、子供のいたずらにより誤って加熱手段が加熱作動状態に切り換えられることを的確に阻止することができることになる。
以上のことから、子供のいたずらにより誤って加熱手段が加熱作動状態に切り換えられることを的確に阻止することができる加熱調理器を提供できるに至った。
【００２５】
請求項７に記載の発明によれば、前記機器本体は、装着用開口から挿入されて装着空間に装着されるビルトイン式に構成され、前記可動予測不可能部材は、前記装着空間に前記機器本体を装着させた状態において、前記装着空間における前記機器本体との隙間を埋める隙間埋め部材にて構成されている。
【００２６】
すなわち、ロック手段は、装着空間におけるビルトイン式の機器本体との隙間を埋める隙間埋め部材を可動させることによって、ロック状態とロック解除状態とに切り換えられるように構成されているので、ビルトイン式の機器本体を装着するために設けられる隙間埋め部材にて、ロック手段をロック状態とロック解除状態に切り換える操作部を兼用することができることになる。
したがって、ビルトイン式の機器本体において、既設の構成を利用しながら、子供のいたずらによりロック手段がロック解除状態に切り換えられることを阻止することができることになるので、子供のいたずらにより誤って加熱手段が加熱作動状態に切り換えられることを的確に阻止することができながらも、構成の簡素化を図ることができることになる。
【００２７】
【発明の実施の形態】
本発明にかかる加熱調理器をガスコンロに適応した例を図面に基づいて説明する。
このガスコンロは、図１および図２に示すように、３つのコンロバーナ部１およびそのコンロバーナ部１の下方側の内部に配置されてバーナを備えたグリル部２をケーシング３内に収納させた機器本体４から構成されている。
そして、機器本体４をシステムキッチン５のカウンタ（上面）に形成された装着用開口６に上方側から差し込み挿入することにより、装着空間７に機器本体４を装着して、機器本体４がビルトイン式に構成されている。
また、機器本体４の両横側部には、装着空間７における機器本体４との隙間を埋める隙間埋め部材１０が設けられ、装着空間７に機器本体４を装着することにより、システムキッチン５の前側面に形成された操作用開口８から機器本体４のケーシング３の前面部が外部に臨む状態となるように構成されている。
【００２８】
前記機器本体４の後方側箇所には、グリル部２におけるグリルバーナの燃焼排ガスを排気するためのグリル排気口１１が形成され、各コンロバーナ部１の周囲は、トッププレート１２にてガスコンロ上面が覆われており、このトッププレート１２の上部に、各コンロバーナ部１に対する被加熱対象（鍋など）を受け止め支持するための五徳１３が載置支持されている。
【００２９】
前記コンロバーナ部１の夫々には、加熱手段としてのコンロバーナ１ａが設けられ、図示はしないが、グリル部２にも、加熱手段としてのグリルバーナが設けられている。
そして、機器本体４のケーシング３の前面部には、その横方向の中央部分にグリル部２のグリル庫２ａが設けられ、コンロバーナ１ａやグリルバーナに対して、点火操作、消火操作や火力調節操作などを行う前面操作部９が、グリル庫２ａの両側に分散して設けられている。
【００３０】
前記前面操作部９には、コンロバーナ部１が３つ設けられているので、コンロバーナ１ａの点火操作および消火操作を行うコンロ用の点火・消火ボタン１４と、コンロバーナ１ａの火力を調節するためのコンロ用の火力調節レバー１５とが３つずつ備えられている。
また、前面操作部９には、グリル部グリルバーナの点火操作および消火操作を行うグリル用の点火・消火ボタン１６と、グリルバーナの火力を調節するためのグリル用の火力調節レバー１７とが備えられている。
【００３１】
前記コンロ用およびグリル用の点火・消火ボタン１４，１６は、押圧操作により機器本体４の後方側への押し込み移動自在に設けられ、その押圧操作によりコンロ用およびグリル用の点火・消火ボタン１４，１６を押し込み移動させることによって、点火操作および消火操作を行うように構成されている。
【００３２】
また、コンロ用およびグリル用の火力調節レバー１５，１７の夫々は、ケーシング３の前面部に形成されたスリット状の開口１８を貫通する状態で、かつ、スリット状の開口１８の長手方向、すなわち機器本体４の横方向に沿う移動により加熱量最大位置としての最大強火位置と加熱量最小位置としての最小弱火位置とに操作される状態で設けられている。
そして、スリット状の開口１８から機器本体４の前方側に突出したコンロ用およびグリル用の火力調節レバー１５，１７の先端には、操作つまみ１９が設けられ、この操作つまみ１９にてコンロ用およびグリル用の火力調節レバー１５，１７を開口１８内で機器本体４の横方向に移動させることによって、コンロバーナ１ａおよびグリルバーナの火力を調節するように構成されている。
【００３３】
このようにして、コンロ用の点火・消火ボタン１４およびグリル用の点火・消火ボタン１６が、加熱開始用操作部として構成され、コンロ用の火力調節レバー１５およびグリル用の火力調節レバー１７が、加熱量調節レバーとして構成されている。
【００３４】
前記コンロ用およびグリル用の火力調節レバー１５，１７の夫々は、図３に示すように、バーナへの燃料ガスの供給を断続するとともに、バーナへの燃料ガス供給量を調節するガス量調節装置２０に取り付けられている。
そして、ガス量調節装置２０は、コンロバーナ部１に対応する３つと、グリル部２に対応するひとつと、合計４つ設けられ、それら４つのガス量調節装置２０の夫々が、点火・消火ボタン１４，１６の点火操作によって、バーナの加熱を開始し、火力調節レバー１５，１７の開口１８内での移動によって、バーナの火力を調節し、点火・消火ボタン１４，１６の消火操作によって、バーナの加熱を停止するように構成されている。
このようにして、この実施形態におけるガスコンロは、バーナを加熱作動状態と加熱作動停止状態に切り換える構成が機械式に構成されている。
【００３５】
以下、ガス量調節装置２０の構成について説明するが、４つのガス量調節装置２０は同様の構成であるので、コンロバーナ部１に対応するガス量調節装置２０を例に挙げて説明し、他のものについては説明を省略する。
【００３６】
前記ガス量調節装置２０は、図３および図４に示すように、その長手方向が機器本体４の前後方向に沿う状態で、点火・消火ボタン１４の配設箇所の後方側に設けられている。
そして、ガス量調節装置２０は、開口の導入口２１から供給される燃料ガスをガス流路２３を介して導出口２２からコンロバーナ１ａへ供給するように構成され、ガス流路２３には、火力調節レバー１５の操作に連動して上下動しその位置に応じたガス流量に調節するニードル２９が設けられている。
ちなみに、図３は、火力調節レバー１５を取り付けたガス量調節装置２０を示す側面図であり、図４は、図３の一部を省略した縦断面図である。
【００３７】
前記機器本体４の前後方向において、後端側には、ガス流路２１を開閉する電磁式の安全弁２４が内装され、前端側には、固定枠２５に対してスライダ２６が摺動自在に内嵌されている。
このスライダ２６には、バルブロッド２７が固着されて安全弁２４側に延出され、このバルブロッド２７には、ガス流路２３を開閉するための弁体２８が設けられている。
【００３８】
そして、このガス量調節装置２０には、点火・消火ボタン１４の押圧操作による押し込み移動により、スライダ２６を消火位置から加熱用開始位置まで摺動させて、点火操作を行うことによって、弁体２８および安全弁２４を開き、その点火操作を解除しても、消火位置と加熱用開始位置との間の中間位置にスライダ２６を保持して弁体２８を開いた状態を保持し、再度、点火・消火ボタン１４の押圧操作による押し込み移動により、スライダ２６を摺動させて、消火操作を行うことによって、スライダ２６の中間位置への保持を解除し、その消火操作を解除すると、スライダ２６を消火位置まで自動復帰させて弁体２８を閉じるプッシュプッシュ機構が備えられている。
【００３９】
このプッシュプッシュ機構は、公知技術であるので、図示はしないが、スライダ２６と固定枠２５との間や、弁体２８とガス量調節装置本体２０ａとの間に介装されて、スライダ２６をガス量調節装置本体２０ａの前端側に弾性付勢するコイルスプリング、スライダ２６の下面に取り付けられるほぼハート型のカム溝を備えたハートカム部材、および、そのハートカム部材のカム溝に係合するピンなどから構成されている。
【００４０】
前記プッシュプッシュ機構の動作について、詳述はしないが、説明を加えると、コンロバーナ１ａを消火しているときには、図３に示す状態となり、スライダ２６が消火位置に存在する。
そして、図３に示すスライダ２６が消火位置に存在する状態から、点火・消火ボタン１４の押圧操作による押し込み移動により、図７に示すように、スライダ２６が加熱開始用位置まで押し込み移動されると、弁体２８がガス流路２３を開き、かつ、バルブロッド２７の先端が安全弁２４を押圧して開弁され、その後、スライダ２６の摺動により点火装置用の固定接点が接触状態に切り換えられ、図外の点火装置によってコンロバーナ１ａに点火される。
前記コンロバーナ１ａに点火した後、点火・消火ボタン１４に対する押圧操作が解除され、点火操作が解除されると、カム溝とピンとの係合により、スライダ２６が中間位置に位置保持され、点火装置用の固定接点が非接触状態に切り換えられて、弁体２８はガス流路２３を開いた状態を維持し、安全弁２４はコンロバーナ１ａの燃焼による図外サーモカップルの熱起電力により開弁状態に維持されるので、コンロバーナ１ａの燃焼が続行される。
【００４１】
そして、消火操作により、点火・消火ボタン１４を押圧操作すると、スライダ２６が中間位置から固定枠２５の後端側に摺動し、スライダ２６の中間位置への位置保持が解除されて、点火・消火ボタン１４に対する押圧操作が解除され、消火操作が解除されると、コイルスプリングの付勢力により、スライダ２６が元の消火位置に自動復帰し、図３に示す状態となり、その自動復帰の際に、弁体２８がガス流路２３を閉じる。
【００４２】
前記ニードル２９の上部側側面には、図３に示すように、係合ピン３０が設けられ、その係合ピン３０が、ニードル２９の側面側に設けられた傾斜孔３２に遊貫され、その傾斜孔３２に沿って摺動自在に設けられている。
前記火力調節レバー１５は、固定枠２５の上部側で機器本体４の上下方向に沿う固定軸３３周りで回動自在に設けられ、その固定軸３３の側面から垂下するピン係合板３４が火力調節レバー１５に一体的に設けられている。
そして、ピン係合板３４には、縦方向に長い長孔が形成され、その長孔にニードル２９の係合ピン３０が遊貫されている。
【００４３】
コンロバーナ１ａの火力を調節するときには、図５および図６の（ロ）に示すように、火力調節レバー１５の先端に設けられた操作つまみ１９を機器本体４の横方向に移動させて、火力調節レバー１５を固定軸３３周りに回動させることにより、図５および図６の（イ）に示すように、ニードル２９の係合ピン３０が火力調節レバー２５と一体的に回動するピン係合板３４にて押されて傾斜孔３２に沿って摺動させる。
そして、係合ピン３０の傾斜孔３２に沿う摺動により、ニードル２９の上下位置を調節し、ガス流路２３を流動する燃料ガス流量が調節されて、コンロバーナ１ａの火力を調節するように構成されている。
【００４４】
ちなみに、図５は、火力調節レバー１５を最小弱火位置に操作した状態を示し、図６は、火力調節レバー１５を最大強火位置に操作した状態を示しており、図５および図６の（イ）は、火力調節レバー１５を取り付けたガス量調節装置２０を示す側面図であり、図５および図６の（ロ）は、火力調節レバー１５を取り付けたガス量調節装置２０の一部を省略した平面図である。
【００４５】
また、このガス量調節装置２０には、加熱開始用操作部として作用するスライダ２６を加熱開始用位置まで押し込み移動させることに連動して、火力調節レバー１５を最大強火位置と最小弱火位置との間の加熱量中用位置としての中火位置に移動させる加熱量調節レバー操作手段３６が設けられている。
この加熱量調節レバー操作手段３６は、スライダ２６の上面に一体的に形成された押圧部３７、機器本体４の横方向に沿う揺動軸３８周りに揺動自在な揺動板３９、火力調節レバー１５の両横側部から垂下される状態で火力調節レバー１５に一体的に形成された左右一対の案内板４０などから構成されている。
【００４６】
加熱量調節レバー操作手段３６の動作について説明を加えると、図３に示す状態から、点火・消火ボタン１４の押圧操作による押し込み移動により、スライダ２６を消火位置から加熱用開始位置まで摺動させることによって、図７に示すように、揺動板３９の下端側部分がスライダ２６の押圧部３７にて押されて、揺動板３９が揺動軸３８周りに揺動するように構成されている。
そして、図５に示すように、火力調節レバー１５が中火位置よりも弱火側の中火位置から外れた位置に位置するときには、揺動板３９の揺動により、揺動板３９の上端側部分が前方側に移動し、案内板４０の一方側が揺動板３９の上端側部分にて前方側に押されて火力調節レバー１５を固定軸３３まわりで回転させて、図７に示すように、火力調節レバー１５を中火位置に移動させるように構成されている。
また、図６に示すように、火力調節レバー１５が中火位置よりも強火側の中火位置から外れた位置に位置するときには、揺動板３９の揺動により、揺動板３９の上端側部分が前方側に移動し、案内板４０の一方側が揺動板３９の上端側部分にて前方側に押されて火力調節レバー１５を固定軸３３周りで回転させて、図７に示すように、火力調節レバー１５を中火位置に移動させるように構成されている。
【００４７】
ちなみに、スライダ２６を加熱用開始位置まで摺動させることにより、揺動板３９が揺動軸３８周りに揺動するように、押圧部３７と揺動板３９の下端側部分との配設位置が調節されており、スライダ２６が消火位置や中間位置に存在するときには、揺動板３９の上端側部分が案内板４０よりも後方側に位置して、火力調節レバー１５が固定軸３３周りで自由に回動できるように構成されている。
【００４８】
以上のようにして、ガス量調節装置２０は、点火・消火ボタン１４の点火操作や消火操作によって、コンロバーナ１ａの加熱の開始や停止を行い、火力調節レバー１５の開口１８内での移動によって、コンロバーナ１ａの火力を調節するとともに、点火・消火ボタン１４の点火操作によって、火力調節レバー１５を中火位置に位置させた状態で、コンロバーナ１ａの加熱を開始させるように構成されている。
【００４９】
そして、このガスコンロには、コンロバーナ１ａおよびグリルバーナの夫々について、点火・消火ボタン１４，１６の点火操作によってバーナの加熱が開始されることを阻止するロック状態と点火・消火ボタン１４，１６の点火操作によってバーナの加熱が開始されることを許容するロック解除状態とに切換自在なロック手段４１が設けられている。
このロック手段４１は、図８および図９に示すように、ロック状態において、中火位置を外れた位置に位置する火力調節レバー１５，１７の中火位置への移動を阻止することにより、点火・消火ボタン１４，１６の押し込み移動によりスライダ２６を加熱開始用位置まで押し込むことを牽制阻止するように構成され、かつ、ロック解除状態において、中火位置を外れた位置に位置する火力調節レバー１５，１７の中火位置への移動を許容することにより、点火・消火ボタン１４，１６の押し込み移動によりスライダ２６を加熱開始用位置まで押し込むことを許容するように構成されている。
ちなみに、図８は、ロック手段４１がロック状態に切り換えられている状態を示し、図９は、ロック手段４１がロック解除状態に切り換えられている状態を示している。
【００５０】
また、ロック手段４１をロック状態とロック解除状態とに切り換えるロック用操作部４２が、点火・消火ボタン１４，１６の配設箇所とは別の箇所に、外部から見えにくい難視認状態で設けられている。
すなわち、ロック用操作部４２は、ケーシング３の前面部に形成されたスリット状の開口１８の内側箇所に設けられ、その開口１８を通して、ロック用操作部４２がロック状態とロック解除状態とに切換操作可能に構成されている
【００５１】
以下、ロック手段４１およびロック操作部４２の構成について図８および図９に基づいて説明を加えるが、コンロバーナ１ａについてのロック手段４１およびロック操作部４２も、グリルバーナについてのロック手段４１およびロック操作部４２も、同様の構成であるので、コンロバーナ１ａについてのロック手段４１およびロック操作部４２のひとつを例に挙げて説明し、その他のものについては説明を省略する。
【００５２】
前記ロック手段４１は、機器本体４の前後方向に沿う軸芯４３周りで回動自在に支持されたロック板４４と、軸芯４３周りで弱火位置側から強火位置側へロック板４４を回転操作することによって出退するシャフト付きのラッチ機構４５とから構成され、ロック板４４が、ロック用操作部４２を兼用するように構成されている。
【００５３】
そして、ロック板４４は、図８に示すように、その一部が開口１８の形成箇所よりも上昇側に突出して開口１８内での火力調節レバー１５の弱火側から中火位置への移動を阻止するロック用位置と、図９に示すように、開口１８の形成箇所よりも下方側に退避して開口１８内での火力調節レバー１５の移動を許容するロック解除用位置とに回動操作自在に設けられている。
前記ラッチ機構４５は、シャフト４６が筒体４７に対して出退自在に支持され、図８に示すように、シャフト４６を筒体４７から突出させた状態を保持する突出状態と、図９に示すように、シャフト４６を筒体４７内に退避させた状態を保持する退避状態とに切換自在で、かつ、シャフト４６が筒体４７側に押されるごとに、突出状態から退避状態にまたは退避状態から突出状態に切り換えられるように構成されている。
【００５４】
前記ラッチ機構４５の構成について説明を加える。
前記シャフト４６は、スプリング４８にて筒体４７から突出させる側に弾性付勢され、シャフト４６を筒体４７内に退避させた状態を保持し、その保持した状態からシャフト４６が筒体４７側に押されることによって、その保持を解除する弾性体４９が設けられている。
そして、シャフト４６の外周部には、外方側に突出する係止突起４６ａと押圧部４６ｂとが形成され、弾性体４９には、シャフト４６を筒体４７内に退避させたときに係止突起４６ａを係止する係止段部４９ａと、退避状態からシャフト４６が筒体４７内に移動するときに押圧部４６ｂにて押圧される被押圧部４９ｂとが形成されている。
【００５５】
前記ラッチ機構４５の動作について説明を加えると、ラッチ機構４５が突出状態のときに、シャフト４６が筒体４７側に押されて移動すると、シャフト４６の係止突起４６ａが弾性体４９の係止段部４９ａを外方側に押圧し、その押圧力によって弾性体４９が弾性変形して、係止突起４６ａが係止段部４９ａを乗り越えることを許容し、係止突起４６ａが係止段部４９ａよりも下方側に移動して、係止突起４６ａが係止段部４９ａに係止され、退避状態に切り換えられる。
また、ラッチ機構４５が退避状態のときに、シャフト４６が筒体４７側に押されて移動すると、シャフト４６の押圧部４６ｂが弾性体４９の被押圧部４９ｂを外方側に押圧し、その押圧力によって弾性体４９が弾性変形して、係止突起４６ａが係止段部４９ａを乗り越えることを許容して、スプリング４８の付勢力により係止突起４６ａが係止段部４９ａよりも上方側に移動して係止が解除され、突出状態に切り換えられる。
【００５６】
そして、ロック板４４の外周部は、円弧状に形成され、そのロック板４４の外周部にラッチ機構４５のシャフト４６の上端部が接当するように設けられ、図８に示すように、ロック板４４がロック用位置に位置するときには、シャフト４６の上端部がロック板４４の突出段部４４ａに接当することにより、ロック板４４が弱火位置側から強火位置側へ回転するのを阻止するように構成されている。
【００５７】
前記ロック手段４１の動作について説明を加えると、ロック手段４１をロック解除状態からロック状態に切り換えるときには、火力調節レバー１５を中火位置よりも弱火位置側に位置させた状態で、手指や手指よりも小径状の棒状体を開口１８から挿入して、ロック解除用位置に位置するロック板４４を軸芯４３周りで図中時計方向へ回転操作するようにしている。
そして、このロック板４４の回転に伴って、シャフト４６の上端部がロック板４４の外周部にて筒体４７側に押されて、ラッチ機構４５が突出状態から退避状態に切り換えられるので、シャフト４６の上端部にてロック板４４の外周部が押されて、ロック板４４がロック用位置に回転移動して、ロック状態に切り換えられる。
【００５８】
また、ロック手段４１をロック状態からロック解除状態に切り換えるときには、ロック解除状態からロック状態からに切り換えるときと同様に、手指や手指よりも小径状の棒状体を開口１８から挿入して、ロック用位置に位置するロック板４４を軸芯４３周りで図中時計方向へ回転操作してロック用解除位置まで回転移動させて、ロック解除状態に切り換えるようにしている。
そして、このロック板４４の回転に伴って、シャフト４６の上端部がロック板４４の外周部にて筒体４７側に押されて、ラッチ機構４５が突出状態から退避状態に切り換えられる。
【００５９】
前記ロック手段４１は、コンロバーナ１ａおよびグリルバーナの夫々について設けられ、それら複数のロック手段４１は、コンロバーナ１ａおよびグリルバーナの夫々について各別に、ロック板４４を回転操作することによりロック状態とロック解除状態とに切り換えられるように構成されている。
すなわち、ひとつのロック板４４を回転操作することにより、ひとつのロック手段４１がロック状態とロック解除状態とに切り換えられるように構成されている。
【００６０】
〔第２実施形態〕
この第２実施形態は、上記第１実施形態のロック手段４１およびロック用操作部４２の別実施形態であるので、ロック手段４１およびロック用操作部４２を主として説明を加える。
ちなみに、その他の構成については、上記第１実施形態と同様であるので、同符号を記すなどにより、その詳細な説明は省略する。
また、この第２実施形態においても、上記第１実施形態と同様に、コンロバーナ１ａについてのロック手段４１およびロック操作部４２も、グリルバーナについてのロック手段４１およびロック操作部４２も、同様の構成であるので、コンロバーナ１ａについてのロック手段４１およびロック操作部４２のひとつを例に挙げて説明し、その他のものについては説明を省略する。
【００６１】
この第２実施形態におけるロック手段４１は、ロック状態において、点火・消火ボタン１４の押し込み移動を阻止することにより、スライダ２６が加熱開始用位置Ｂまで押し込まれることを阻止するように構成され、かつ、ロック解除状態において、点火・消火ボタン１４の押し込み移動を許容することにより、スライダ２６が加熱開始用位置Ｂまで押し込まれることを許容するように構成されている。
【００６２】
また、ロック用操作部４２は、点火・消火ボタン１４，１６の配設箇所とは別の箇所に、機器本体４内に隠れている難視認状態で設けられている。
すなわち、図１に示すように、機器本体４の電源用の電池５０を機器本体４内に収納する電池収納部５１が機器本体４の前面側に設けられ、ロック用操作部４２は、図１０および図１１に示すように、電池収納部５１に、その電池収納部５１を開閉する蓋体５２を閉じた状態においてその蓋体５２の内方側に位置させるように設けられている。
【００６３】
そして、図１に示すものでは、電池収納部５１が、グリル庫２ａよりも左側に設けられているので、電池収納部５１に設けられたロック用操作部４２を操作することによって、グリル庫２ａよりも左側に設けられている２つの点火・消火ボタン１４の押し込み移動を阻止または許容するように構成されている。
すなわち、電池収納部５１に設けられたロック用操作部４２を操作することによって、コンロバーナ１ａの２つについて、ロック手段４１をロック状態とロック解除状態に切り換えるように構成されている。
ちなみに、グリル庫２ａよりも右側に設けられている点火・消火ボタン１４，１６については、上記第１実施形態のロック手段４１およびロック用操作部４２の構成を適応するようにしている。
【００６４】
以下、ロック手段４１およびロック用操作部４２の構成について、図１０および図１１に基づいて説明を加える。
ちなみに、図１０および図１１は、機器本体４の前面部のうち左側の一部を示す正面図であり、図１０は、ロック手段４１がロック解除状態のときを示し、図１１は、ロック手段４１がロック状態のときを示している。
【００６５】
前記ロック手段４１は、機器本体４の内方側空間において点火・消火ボタン１４の配設箇所の裏側に相当する位置に挿脱自在な２つのロック板５３から構成され、ロック板５３の夫々が、図１１に示すように、点火・消火ボタン１４の裏側に相当するロック用位置と、図１０に示すように、消火ボタン１４の裏側から退避したロック解除用位置とに移動自在に設けられている。
そして、ロック板５３をロック用位置に移動させることによって、点火・消火ボタン１４の押圧操作をしても、ロック板５３が点火・消火ボタン１４に当たって、点火・消火ボタン１４の押し込み移動を阻止するように構成されている。
【００６６】
前記ロック用操作部４２は、蓋体５２を開いた状態においてその一部が電池収納部５１から露出して、機器本体４の横方向にスライド移動自在に支持されている。
そして、ロック用操作部４２とロック板５３の夫々とが、連結部材５４にて連結され、ロック用操作部４２を機器本体４の横方向にスライド移動させることによって、連結部材５４を介して、ロック板５３をロック用位置とロック解除用位置とに移動させるように構成されている。
【００６７】
前記ロック手段４１の動作について説明を加えると、ロック手段４１をロック解除状態からロック状態に切り換えるときには、ロック用操作部４２をスライド移動させることにより、連結部材５４を介してロック板５３の夫々がロック用位置に移動され、ロック状態に切り換えられる。
また、ロック手段４１をロック状態からロック解除状態に切り換えるときには、ロック解除状態からロック状態に切り換えるときとは逆方向に、ロック用操作部４２をスライド移動させることにより、連結部材５４を介してロック板５３の夫々がロック解除用位置に移動され、ロック解除状態に切り換えられる。
【００６８】
〔第３実施形態〕
この第３実施形態は、上記第１実施形態のロック手段４１およびロック用操作部４２の別実施形態であるので、ロック手段４１およびロック用操作部４２を主として説明を加える。
ちなみに、その他の構成については、上記第１実施形態と同様であるので、同符号を記すなどにより、その詳細な説明は省略する。
【００６９】
この第３実施形態におけるロック手段４１は、図１に示すように、可動することが予測できない可動予測不可能部材としての隙間埋め部材１０をロック用位置に移動操作すると、ロック状態に切り換えられ、隙間埋め部材１０をロック解除用位置に移動操作すると、ロック解除状態に切り換えられるように構成され、隙間埋め部材１０が、ロック用操作部４２を兼用するように構成されている。
【００７０】
そして、ロック手段４１は、ロック状態において、点火・消火ボタン１４の押し込み移動を阻止することにより、スライダ２６が加熱開始用位置Ｂまで押し込まれることを阻止するように構成され、かつ、ロック解除状態において、点火・消火ボタン１４の押し込み移動を許容することにより、スライダ２６が加熱開始用位置まで押し込まれることを許容するように構成されている。
【００７１】
前記隙間埋め部材１０は、図１に示すように、機器本体４のケーシング３の両横側部に設けられているので、左側部に設けられた隙間埋め部材１０を可動させることによって、グリル庫２ａよりも左側に設けられている２つの点火・消火ボタン１４の押し込み移動を阻止または許容するように構成され、右側部に設けられた隙間埋め部材１０を可動させることによって、グリル庫２ａよりも右側に設けられている２つの点火・消火ボタン１４の押し込み移動を阻止または許容するように構成されている。
すなわち、ひとつの隙間埋め部材１０を可動操作することによって、２つのバーナについて、ロック手段４１をロック状態とロック解除状態に切り換えるように構成されている。
【００７２】
以下、ロック手段４１と隙間埋め部材１０の構成について図１２〜図１５に基づいて説明を加えるが、左側部に設けられた隙間埋め部材１０とその隙間埋め部材１０の可動により切換操作されるロック手段４１も、右側部に設けられた隙間埋め部材１０とその隙間埋め部材１０の可動により切換操作されるロック手段４１も、同様の構成であるので、左側部に設けられた隙間埋め部材１０とその隙間埋め部材１０の可動により切換操作されるロック手段４１についてのみ説明を加える。
【００７３】
ちなみに、図１２および図１３は、機器本体４の前面部のうち左側の一部を示すものであり、図１２および図１３の（イ）は、一部を切り欠いた正面図であり、図１２および図１３の（ロ）は、横断平面図である。
また、図１２は、ロック手段４１をロック解除状態に切り換えたときを示し、図１３は、ロック手段４１をロック状態に切り換えたときを示し、図１４は、機器本体４の左側面を示す斜視図であり、図１５は、機器本体４の左側面のうち一部を省略した側面図である。
【００７４】
前記ロック手段４１は、図１２および図１３に示すように、点火・消火ボタン１４の機器本体４内側に形成された嵌合溝部１４ａに嵌合する嵌合位置と非嵌合位置とに移動自在な２つの嵌合突起部５５ａを備えたロック部材５５から構成され、そのロック部材５５は、機器本体４の横方向に移動自在でスプリング５９により嵌合突起部５５ａを嵌合位置側に位置させるように弾性付勢されている。
そして、嵌合突起部５５ａを嵌合位置に位置させたときには、図１２に示すように、点火・消火ボタン１４を押圧操作すると、嵌合突起部５５ａが嵌合溝部１４ａに嵌合されて、点火・消火ボタン１４の押し込み移動を許容するように構成されている。
また、嵌合突起部５５ａを非嵌合位置に位置させたときには、図１３に示すように、点火・消火ボタン１４を押圧操作すると、嵌合突起部５５ａが嵌合溝部１４ａに嵌合されず、そのロック部材５５により点火・消火ボタン１４の押し込み移動を阻止するように構成されている。
【００７５】
前記隙間埋め部材１０は、図１４および図１５に示すように、平面視Ｌ字状の板体に形成されて、その前面部が機器本体４のケーシング３の前面部と面一になり、かつ、上方側のロック解除用位置と下方側のロック用位置とに上下動自在に、機器本体４のケーシング３の横側部に設けられている。
そして、隙間埋め部材１０は、機器本体４の後方側に突出する上下一対の突起大部１０ａを、機器本体４のケーシング３の横側部とその横側部に取り付けられた固定金具５６にて挟み込むことによって支持され、機器本体４の後方側に突出する突起小部１０ｂに下方側から機器本体４のケーシング３の横側部に形成された上下方向に長い長孔５７を貫通しているシャフト５８を接当させるように設けられている。
【００７６】
前記シャフト５８は、図１２および図１３に示すように、機器本体４の内側端部がロック部材５５に接当されて、上下動自在でスプリング６０により上方側に弾性付勢させた状態で支持されている。
そして、隙間埋め部材１０をロック解除用位置からロック用位置に下方移動させることにより、隙間埋め部材１０の突起小部１０ｂにてシャフト５８が下方側に押されて下方側に移動し、隙間埋め部材１０をロック用位置からロック解除用位置に上方移動させることにより、スプリング６０の付勢力にてシャフト５８が上方側に移動するように構成されている。
【００７７】
前記ロック手段４１の動作について説明を加えると、ロック手段４１をロック解除状態からロック状態に切り換えるときには、隙間埋め部材１０を図１５の（イ）に示すロック解除用位置から図１５の（ロ）に示すロック用位置に下方移動させることにより、シャフト５８を下方移動させて、シャフト５８の機器本体４の内側端部とロック部材５５との接当により、シャフト５８にてロック部材５５が押されて嵌合位置から非嵌合位置に移動され、ロック状態に切り換えられる。また、ロック手段４１をロック状態からロック解除状態に切り換えるときには、隙間埋め部材１０を図１５の（ロ）に示すロック用位置から図１５の（イ）に示すロック解除用位置に上方移動させることにより、シャフト５８を上方移動させて、スプリング５９の付勢力によりロック部材５５を嵌合位置に移動させるとともに、スプリング６０の付勢力によりシャフト５８を上方移動させて、ロック解除状態に切り換えられる。
【００７８】
〔別実施形態〕
（１）上記第１〜第３実施形態では、加熱手段としてのバーナを加熱作動状態と加熱作動停止状態に切り換える構成が機械式に構成されているが、加熱手段を加熱作動状態と加熱作動停止状態に切り換える構成を電気式に構成して実施することも可能である。
この場合には、バーナへの燃料ガスの供給を断続する断続弁の開閉作動などを制御する制御部を設け、その制御部に対して加熱手段の加熱開始および加熱停止を指令する加熱開始・停止用操作部を設けて、制御部は、加熱開始・停止用操作部にて加熱開始が指令されると、加熱手段の加熱を開始し、加熱開始・停止用操作部にて加熱停止が指令されると、加熱手段の加熱を停止するように構成する。そして、このような電気式のものにおいては、ロック手段を、ロック状態において、加熱開始・停止用操作部にて加熱開始が指令されても、制御部がその加熱開始の指令を受け付けないように構成され、かつ、ロック解除状態において、加熱開始・停止用操作部にて加熱開始が指令されると、制御部がその加熱開始の指令を受け付けるように構成する。
【００７９】
例えば、上記第２実施形態のようにロック用操作部４２が、電池収納部５１に、その電池収納部５１を開閉する蓋体５２を閉じた状態においてその蓋体５２の内方側に位置させるように設けられているものでは、図１６に示すように、バーナへの燃料ガスの供給を断続する断続弁の開閉作動を制御する制御部Ｈが、ロック用操作部４２のＯＮ／ＯＦＦにより、ロック状態とロック解除状態に切り換えるように構成され、この制御部６３がロック手段４１に構成されている。
ちなみに、この場合には、制御部６３は、ロック用操作部４２のＯＮ／ＯＦＦにより、すべてのバーナについて、ロック状態とロック解除状態に切り換えるように構成することも可能である。
【００８０】
また、例えば、上記第３実施形態のように隙間埋め部材１０がロック用操作部４２を兼用するように構成されているものでは、図１７に示すように、制御部Ｈが、隙間埋め部材１０を上下動させることにより、ロック解除状態とロック状態とに切り換えられるように構成され、この制御部６３がロック手段４１に構成されている。
【００８１】
説明を加えると、上記第３実施形態と同様に、隙間埋め部材１０が上下動可能に支持され、隙間埋め部材１０をロック解除用位置からロック用位置に下方移動させることにより、隙間埋め部材１０の突起小部１０ｂにてシャフト５８が下方側に押されて下方側に移動し、隙間埋め部材１０をロック用位置からロック解除用位置に上方移動させることにより、スプリング６０の付勢力にてシャフト５８が上方側に移動するように構成されている。
そして、隙間埋め部材１０による上下動に伴うシャフト５８の上下動によって、突出状態と退避状態とに切換自在なシャフト付きのラッチ機構６１が設けられ、このラッチ機構６１のシャフト６３には、機器本体４内に設けられたマイクロスイッチ６２をＯＮ／ＯＦＦ操作する操作棒６４が一体的に設けられている。
ちなみに、このラッチ機構６１は、上記第１実施形態におけるラッチ機構４５と同様の構成をしているので、その構成については説明を省略する。
【００８２】
そして、隙間埋め部材１０をロック解除用位置からロック用位置に下方移動させることにより、ラッチ機構６１が、退避状態に切り換えられると、操作棒６４がマイクロスイッチ６２をＯＮ操作し、隙間埋め部材１０をロック用位置からロック解除用位置に上方移動させることにより、ラッチ機構６１が、突出状態に切り換えられると、操作棒６４がマイクロスイッチ６２をＯＦＦ操作するように構成されている。
【００８３】
（２）上記第１実施形態では、コンロバーナ１ａおよびグリルバーナの夫々について設けられた複数のロック手段４１は、コンロバーナ１ａおよびグリルバーナの夫々について各別に、ロック板４４を回転操作することによりロック状態とロック解除状態とに切り換えられるように構成されているが、ひとつのロック板４４を回転操作することにより、複数のロック手段４１がロック状態とロック解除状態とに切り換えられるように構成して実施することも可能である。
例えば、図１８に示すように、機器本体４の横方向に隣接する２つのロック板４４をリンク機構６５で連結して、２つのロック板４４が一体的に回転移動するように構成され、２つのロック板４４のうち、いずれか一方を回転操作することによって、２つのロック手段４１をロック状態とロック解除状態に切り換えるように構成されている。
【００８４】
（３）上記第１実施形態では、既設の開口１８を利用して、その開口１８の内側箇所にロック用操作部４２としてのロック板４４を設けるようにしているが、あらたに手指よりも小径状の棒状体が挿入可能な大きさの開口を形成し、その開口の内側箇所にロック用操作部４２を設け、そのロック用操作部４２を操作することによってロック手段４１をロック状態とロック解除状態に切り換えるように構成して実施することも可能である。
【００８５】
（４）上記第１および第２実施形態では、ビルトイン式に機器本体４を例示したが、機器本体４は、ビルトイン式に限らず、テーブル式でもよい。
【００８６】
（５）上記第３実施形態では、隙間埋め部材１０を上下動することにより、ロック手段４１をロック状態とロック解除状態とに切り換えるようにしているが、隙間埋め部材１０を前方側に弾性付勢した状態で前後動自在に支持し、隙間埋め部材１０の前後動に連動して、機器本体４の横方向に移動させるリンク機構などを用いて、隙間埋め部材１０を後方側に移動させるごとに、ロック手段４１をロック解除状態からロック状態にまたはロック状態からロック解除状態に切り換えるように構成して実施することも可能である。
【００８７】
（６）上記第１〜第３実施形態では、本発明にかかる加熱調理器をガスコンロに適応した例を示したが、電気式コンロに適応することも可能である。
【図面の簡単な説明】
【図１】ガスコンロを装着するときの概略斜視図
【図２】ガスコンロの正面斜視図
【図３】ガス量調節装置の側面図
【図４】ガス量調節装置の縦断側面図
【図５】ガス量調節装置の側面図と平面図
【図６】ガス量調節装置の側面図と平面図
【図７】ガス量調節装置の側面図と平面図
【図８】第１実施形態におけるロック手段とロック用操作部を示す縦断正面図
【図９】第１実施形態におけるロック手段とロック用操作部を示す縦断正面図
【図１０】第２実施形態におけるロック手段とロック用操作部を示す斜視図
【図１１】第２実施形態におけるロック手段とロック用操作部を示す斜視図
【図１２】第３実施形態におけるロック手段とロック用操作部を示す切欠正面図と横断平面図
【図１３】第３実施形態におけるロック手段とロック用操作部を示す切欠正面図と横断平面図
【図１４】第３実施形態における隙間埋め部材を示す斜視図
【図１５】第３実施形態における隙間梅部材を示す側面図
【図１６】別実施形態におけるロック手段とロック用操作部を示す斜視図
【図１７】別実施形態におけるロック手段とロック用操作部を示す切欠正面図
【図１８】別実施形態におけるロック手段とロック用操作部を示す正面図
【符号の説明】
１ａ            加熱手段
３              ケーシング
４              機器本体
６              装着用開口
７              装着空間
１０            隙間埋め部材
１８            スリット状の開口
４１            ロック手段
４２            ロック用操作部
５１            電池収納部
５２            蓋体
【図１】
2004218981.tif 000003
【図２】
2004218981.tif 000004
【図３】
2004218981.tif 000005
【図４】
2004218981.tif 000006
【図５】
2004218981.tif 000007
【図６】
2004218981.tif 000008
【図７】
2004218981.tif 000009
【図８】
2004218981.tif 000010
【図９】
2004218981.tif 000011
【図１０】
2004218981.tif 000012
【図１１】
2004218981.tif 000013
【図１２】
2004218981.tif 000014
【図１３】
2004218981.tif 000015
【図１４】
2004218981.tif 000016
【図１５】
2004218981.tif 000017
【図１６】
2004218981.tif 000018
【図１７】
2004218981.tif 000019
【図１８】
2004218981.tif 000020